(57)【要約】【課題】画像光を良好に維持できる光学装置を提供する。【解決手段】光学装置４４は、反射型光変調装置４４２およびワイヤグリッド４４１を支持し、反射型光変調装置４４２およびワイヤグリッド４４１をクロスダイクロイックプリズム４４３の各光束入射側端面４４３１にそれぞれ固定する複数の取付部材４４４を備える。取付部材４４４は、反射型光変調装置４４２、ワイヤグリッド４４１、および光束入射側端面４４３１の間を略密閉空間とする密閉構造を有し、セラミック部材で構成されている。【選択図】図２
2009036819.tif 000002
【特許請求の範囲】
【請求項１】
複数の色光を色光毎に画像情報に応じて変調する複数の反射型光変調装置と、
格子構造に基づく回折により前記反射型光変調装置に照射される光束および前記反射型光変調装置で変調された光束を偏光分離する複数のワイヤグリッドと、
前記複数の反射型光変調装置にて変調され前記複数のワイヤグリッドにて偏光分離された光束をそれぞれ入射する複数の光束入射側端面を有し、入射した各光束を合成して画像光を形成する色合成光学装置と、
前記反射型光変調装置および前記ワイヤグリッドを支持し、前記反射型光変調装置および前記ワイヤグリッドを前記色合成光学装置の前記複数の光束入射側端面にそれぞれ固定する複数の取付部材とを備え、
前記取付部材は、前記反射型光変調装置、前記ワイヤグリッド、および前記光束入射側端面の間を略密閉空間とする密閉構造を有し、セラミック部材で構成されている
ことを特徴とする光学装置。
【請求項２】
請求項１に記載の光学装置において、
前記取付部材は、
互いに対向する一対の板状部と、前記一対の板状部同士を接続し前記光束入射側端面に固定される接続部とが一体的に形成され、断面略Ｕ字形状を有している
ことを特徴とする光学装置。
【請求項３】
光源装置と、前記光源装置から射出された光束を変調して前記画像光を形成する請求項１または請求項２に記載の光学装置と、前記画像光を拡大投射する投射光学装置とを備えていることを特徴とするプロジェクタ。
【発明の詳細な説明】
【技術分野】
【０００１】
本発明は、光学装置、およびプロジェクタに関する。
【背景技術】
【０００２】
従来、光源から射出された光束を画像情報に応じて変調して画像光を形成し、拡大投射するプロジェクタが知られている（例えば、特許文献１参照）。
特許文献１に記載のプロジェクタは、入射光束を偏光分離する３つのワイヤグリッド偏光ビームスプリッタ（ワイヤグリッド）と、各ワイヤグリッドにて偏光分離された各光束をそれぞれ変調する３つの反射性空間光変調器（反射型光変調装置）と、各反射型光変調装置にて変調され各ワイヤグリッドにて偏光分離された光束を合成して画像光を形成する再結合プリズム（色合成光学装置）とを備えている。
【０００３】
【特許文献１】特開２００２−３７２７４９号公報
【発明の開示】
【発明が解決しようとする課題】
【０００４】
特許文献１に記載のプロジェクタでは、光束の照射による各ワイヤグリッドおよび各反射型光変調装置の熱劣化を防止するために、冷却ファン等により各ワイヤグリッドおよび各反射型光変調装置を強制冷却する必要がある。
しかしながら、このような構成では、例えば、各ワイヤグリッドおよび各反射型光変調装置に送風される空気に塵埃が混入している場合、各ワイヤグリッドおよび各反射型光変調装置に塵埃が付着し、形成する画像光に塵埃が入り込み、画像光に劣化が生じてしまう、という問題がある。
【０００５】
本発明の目的は、画像光を良好に維持できる光学装置、およびプロジェクタを提供することにある。
【課題を解決するための手段】
【０００６】
本発明の光学装置は、複数の色光を色光毎に画像情報に応じて変調する複数の反射型光変調装置と、格子構造に基づく回折により前記反射型光変調装置に照射される光束及び前記反射型光変調装置で変調された光束を偏光分離する複数のワイヤグリッドと、前記複数の反射型光変調装置にて変調され前記複数のワイヤグリッドにて偏光分離された光束をそれぞれ入射する複数の光束入射側端面を有し、入射した各光束を合成して画像光を形成する色合成光学装置と、前記反射型光変調装置および前記ワイヤグリッドを支持し、前記反射型光変調装置および前記ワイヤグリッドを前記色合成光学装置の前記複数の光束入射側端面にそれぞれ固定する複数の取付部材とを備え、前記取付部材は、前記反射型光変調装置、前記ワイヤグリッド、および前記光束入射側端面の間を略密閉空間とする密閉構造を有し、セラミック部材で構成されていることを特徴とする。
【０００７】
本発明では、光学装置は、反射型光変調装置およびワイヤグリッドを支持し、反射型光変調装置およびワイヤグリッドを色合成光学装置の光束入射側端面に固定する取付部材を、反射型光変調装置（ワイヤグリッド）の個数分、備えている。そして、取付部材は、反射型光変調装置、ワイヤグリッド、および色合成光学装置の光束入射側端面の間を略密閉空間とする密閉構造を有する。このことにより、取付部材、反射型光変調装置、ワイヤグリッド、および色合成光学装置で構成される略密閉空間内に塵埃が侵入することを防止できる。このため、反射型光変調装置やワイヤグリッドの熱劣化を防止するために光学装置に空気を送風する構成とし、送風される空気に塵埃が混入している場合であっても、反射型光変調装置やワイヤグリッドへの塵埃の付着量を低減させることができる。したがって、光学装置にて形成する画像光に塵埃が入り込むことを抑制し、画像光を良好に維持できる。
【０００８】
また、取付部材は、セラミック部材で構成されている。ここで、セラミック部材としては、熱伝導率および熱放射性が比較的に高いものである。このことにより、反射型光変調装置やワイヤグリッドにて生じた熱を取付部材に放熱できる。また、取付部材と空気との熱交換効率を向上させることができる。したがって、反射型光変調装置やワイヤグリッドの冷却効率を向上させることができる。そして、反射型光変調装置やワイヤグリッドの冷却効率を向上させることができるため、光学装置をプロジェクタに搭載すれば、光学装置を冷却する冷却ファンの数量を低減させたり、冷却ファンの回転数を低減させたりすることができ、プロジェクタのコスト低減が図れるとともに、静粛性を確保できる。また、冷却ファンの数量を低減させたり、冷却ファンの回転数を低減させたりすることで、光学装置に送風される空気の風量も低減し、すなわち、送風される空気に混入した塵埃の量も低減するので、反射型光変調装置やワイヤグリッドへの塵埃の付着量をさらに低減させることができる。
【０００９】
さらに、色合成光学装置としては、硼珪酸ガラス等の光学ガラスで一般的に構成されている。ここで、セラミック部材としては、その線膨張係数が光学ガラスの線膨張係数に比較的に近いものである。このことにより、色合成光学装置と、該色合成光学装置に固定される取付部材との線膨張係数を近付けることで、色合成光学装置および取付部材の熱膨張変形を略同程度に収めることができる。したがって、線膨張係数の違いにより発生する熱応力を緩和し、各反射型光変調装置の相互位置のずれを防止することができ、画素ずれを回避することができる。
【００１０】
本発明の光学装置では、前記取付部材は、互いに対向する一対の板状部と、前記一対の板状部同士を接続し前記光束入射側端面に固定される接続部とが一体的に形成され、断面略Ｕ字形状を有していることが好ましい。
本発明によれば、取付部材が一対の板状部と接続部とが一体的に形成されたものであるため、例えば、複数の部材を組み合わせることで取付部材を形成する構成と比較して、組み立て作業を不要とし、取付部材の製造効率を向上できる。また、取付部材が断面略Ｕ字形状を有していることにより、例えば、取付部材を内部が中空状の筐体とする構成と比較して、取付部材を容易に製造できる。
【００１１】
本発明のプロジェクタは、光源装置と、前記光源装置から射出された光束を変調して前記画像光を形成する上述した光学装置と、前記画像光を拡大投射する投射光学装置とを備えていることを特徴とする。
本発明によれば、プロジェクタは、上述した光学装置を備えているので、上述した光学装置と同様の作用および効果を享受できる。
また、プロジェクタは、画像光を良好に維持できる光学装置を備えているので、スクリーン等に劣化のない良好な投影画像を形成できる。
【発明を実施するための最良の形態】
【００１２】
以下、本発明の実施の一形態を図面に基づいて説明する。
〔プロジェクタの構成〕
図１は、プロジェクタ１の概略構成を模式的に示す図である。
プロジェクタ１は、光源から射出される光束を画像情報に応じて変調してカラー画像（画像光）を形成し、このカラー画像をスクリーン（図示略）上に拡大投射する。このプロジェクタ１は、図１に示すように、略直方体状の外装筐体２と、投射光学装置としての投射レンズ３と、光学ユニット４等を備える。
なお、図１において、具体的な図示は省略したが、外装筐体２内において、投射レンズ３および光学ユニット４以外の空間には、プロジェクタ１内部の各構成部材を冷却する冷却ファン等を備えた冷却ユニット、プロジェクタ１内部の各構成部材に電力を供給する電源ユニット、およびプロジェクタ１内部の各構成部材を制御する制御装置等が配置されるものとする。
【００１３】
外装筐体２は、プロジェクタ１の天面、前面、背面、および側面をそれぞれ構成するアッパーケースおよびプロジェクタ１の底面、前面、背面、および側面をそれぞれ構成するロアーケース等で構成される。そして、各ケースは、互いにねじ等で固定されている。
投射レンズ３は、複数のレンズを組み合わせた組レンズとして構成され、光学ユニット４にて形成されたカラー画像をスクリーン上に拡大投射する。
【００１４】
光学ユニット４は、前記制御装置による制御の下、光源から射出された光束を光学的に処理して画像信号に対応したカラー画像を形成するユニットである。この光学ユニット４は、図１に示すように、光源装置４１と、照明光学装置４２と、色分離光学装置４３と、光学装置４４等を備える。
光源装置４１は、図１に示すように、光源ランプ４１１、リフレクタ４１２、ＵＶ−ＩＲフィルタ４１３等を備える。光源ランプ４１１から射出された光束は、リフレクタ４１２によって射出方向が揃えられ、ＵＶ−ＩＲフィルタ４１３を介して照明光学装置４２に向けて射出される。なお、ＵＶ−ＩＲフィルタ４１３は、紫外領域および赤外領域の光束を吸収または反射し、その他の光束を透過するものである。
【００１５】
照明光学装置４２は、図１に示すように、第１レンズアレイ４２１、第２レンズアレイ４２２、偏光変換素子４２３、および重畳レンズ４２４を備える。そして、光源装置４１から射出された光束は、第１レンズアレイ４２１によって複数の部分光束に分割され、第２レンズアレイ４２２の近傍で結像する。第２レンズアレイ４２２から射出された各部分光束は、その中心軸（主光線）が偏光変換素子４２３の入射面に垂直となるように入射し、偏光変換素子４２３にて略１種類の直線偏光光として射出される。偏光変換素子４２３から直線偏光光として射出され、重畳レンズ４２４を介した複数の部分光束は、光学装置４４の後述する３枚の反射型液晶パネル４４２１上で重畳する。
【００１６】
色分離光学装置４３は、図１に示すように、青色光を反射するＢ光反射ダイクロイックミラー４３１Ａおよび緑色光、赤色光を反射するＧＲ光反射ダイクロイックミラー４３１ＢがＸ字状に配置されたクロスダイクロイックミラー４３１、緑色光を反射するＧ光反射ダイクロイックミラー４３２、および２枚の反射ミラー４３３，４３４を備える。そして、色分離光学装置４３は、照明光学装置４２から射出された複数の部分光束を赤、緑、青の３色の色光に分離する。
具体的に、照明光学装置４２から射出された複数の部分光束は、クロスダイクロイックミラー４３１に入射し、青色光成分がＢ光反射ダイクロイックミラー４３１Ａにて反射し、緑色光成分と赤色光成分とがＧＲ光反射ダイクロイックミラー４３１Ｂにて反射し、青色光成分と緑色光成分および赤色光成分とに分離される。
クロスダイクロイックミラー４３１にて分離された青色光は、反射ミラー４３３で反射し、光学装置４４を構成する後述するワイヤグリッド４４１Ｂに入射する。
また、クロスダイクロイックミラー４３１にて分離された緑色光および赤色光は、反射ミラー４３４で反射した後、Ｇ光反射ダイクロイックミラー４３２に入射する。Ｇ光反射ダイクロイックミラー４３２に入射した緑色光および赤色光のうちで、緑色光は、Ｇ光反射ダイクロイックミラー４３２によって反射し、光学装置４４を構成する後述するワイヤグリッド４４１Ｇに入射する。一方、赤色光は、Ｇ光反射ダイクロイックミラー４３２を透過して、光学装置４４を構成する後述するワイヤグリッド４４１Ｒに入射する。
【００１７】
光学装置４４は、入射した光束を画像情報に応じて変調して画像光（カラー画像）を形成するものである。この光学装置４４は、図１に示すように、３つのワイヤグリッド４４１（赤色光側のワイヤグリッドを４４１Ｒ、緑色光側のワイヤグリッドを４４１Ｇ、青色光側のワイヤグリッドを４４１Ｂとする）と、３つの反射型光変調装置４４２（ワイヤグリッド４４１と同様に、各色光側の反射型光変調装置を４４２Ｒ，４４２Ｇ，４４２Ｂとする）と、色合成光学装置としてのクロスダイクロイックプリズム４４３とを備える。
なお、光学装置４４は、３つのワイヤグリッド４４１、３つの反射型光変調装置４４２、およびクロスダイクロイックプリズム４４３の他、後述する取付部材４４４を備えるものであり、詳細な構成については、後述する。
【００１８】
３つのワイヤグリッド４４１は、格子構造に基づく回折により入射した光束を偏光分離する。各ワイヤグリッド４４１は、図１に示すように、入射光束の光軸に対して略４５°傾斜した状態で配置される。そして、各ワイヤグリッド４４１は、入射した光束のうち、偏光変換素子４２３で揃えられた偏光方向と略同一の偏光方向を有する偏光光を透過させ、前記偏光方向に直交する偏光方向を有する偏光光を反射させ、入射した光束を偏光分離する。
【００１９】
３つの反射型光変調装置４４２は、反射型液晶パネル４４２１と、反射型液晶パネル４４２１を保持する平面視矩形状の金属等の熱伝導性部材で構成された保持枠４４２２とで構成されている。そして、各反射型光変調装置４４２は、図１に示すように、各ワイヤグリッド４４１を透過した光束の光軸に対して反射型液晶パネル４４２１が略直交した状態でそれぞれ配置される。
反射型液晶パネル４４２１は、シリコン基板上に液晶が形成されたいわゆるＬＣＯＳ(Liquid Crystal On Silicon)で構成されている。そして、反射型液晶パネル４４２１は、前記制御装置からの駆動信号に応じて、前記液晶の配向状態が制御され、ワイヤグリッド４４１を透過した偏光光束の偏光方向を変調し、ワイヤグリッド４４１に向けて反射する。反射型液晶パネル４４２１にて変調され、ワイヤグリッド４４１に向けて反射された光束は、偏光変換素子４２３で揃えられた偏光方向に直交する偏光方向を有する偏光光のみがワイヤグリッド４４１にて反射されてクロスダイクロイックプリズム４４３に向う。
【００２０】
クロスダイクロイックプリズム４４３は、図１に示すように、各ワイヤグリッド４４１にて反射された各色光がそれぞれ入射される各光束入射側端面４４３１（ワイヤグリッド４４１と同様に、各色光側の光束入射側端面を４４３１Ｒ，４４３１Ｇ，４４３１Ｂとする）を有し、入射した各色光を合成してカラー画像を形成する。このクロスダイクロイックプリズム４４３は、４つの直角プリズムを貼り合わせた平面視略正方形状をなし、直角プリズム同士を貼り合わせた界面には、２つの誘電体多層膜が形成されている。これら誘電体多層膜は、ワイヤグリッド４４１Ｇにて反射された緑色光を透過し、各ワイヤグリッド４４１Ｒ，４４１Ｂにて反射された赤、緑色光をそれぞれ反射する。このようにして、各色光が合成されてカラー画像が形成される。そして、クロスダイクロイックプリズム４４３で形成されたカラー画像は、上述した投射レンズ３によりスクリーンへ拡大投射される。
本実施形態では、クロスダイクロイックプリズム４４３は、線膨張係数が約７×１０−６／℃の硼珪酸ガラス（ＢＫ７）で構成されている。
【００２１】
〔光学装置の詳細な構成〕
図２は、光学装置４４の構造を示す斜視図である。
光学装置４４は、３つのワイヤグリッド４４１、３つの反射型光変調装置４４２、およびクロスダイクロイックプリズム４４３の他、図２に示すように、これら各部材４４１を一体化する３つの取付部材４４４（赤色光側の取付部材を４４４Ｒ、緑色光側の取付部材を４４４Ｇ、青色光側の取付部材を４４４Ｂとする）を備える。
３つの取付部材４４４は、ワイヤグリッド４４１および反射型光変調装置４４２を支持する。そして、各取付部材４４４は、ワイヤグリッド４４１および反射型光変調装置４４２をクロスダイクロイックプリズム４４３の対応する各光束入射側端面４４３１にそれぞれ固定する部材である。
【００２２】
図３は、取付部材４４４の構造を示す図である。
なお、３つの取付部材４４４は、同一の形状を有しているため、以下では、１つの取付部材４４４（図３では、取付部材４４４Ｒ）のみの構造を説明する。
取付部材４４４は、図３に示すように、一対の板状部４４４１，４４４２と、接続部４４４３とが一体的に形成され、断面略Ｕ字形状を有するセラミック部材で構成されている。
本実施形態では、取付部材４４４は、線膨張係数が約７×１０−６／℃で熱伝導率が１５〜４０Ｗ／ｍ・Ｋのアルミナ系セラミックで構成されている。なお、取付部材４４４の線膨張係数としては、４×１０−６／℃〜１０×１０−６／℃であることが好ましい。また、取付部材４４４の熱伝導率としては、２〜２００Ｗ／ｍ・Ｋであることが好ましい。
【００２３】
一対の板状部４４４１，４４４２は、図３に示すように、平面視略直角三角形状を有し、互いに対向するように、平面視略直角三角形状の斜辺を除く他の一辺に対応する端部４４４１Ａ，４４４２Ａ同士が接続部４４４３に接続する。
接続部４４４３は、図３に示すように、平面視矩形形状を有し、クロスダイクロイックプリズム４４３の光束入射側端面４４３１に接着等により固定される部分である。
この接続部４４４３において、略中央部分には、図３に示すように、各ワイヤグリッド４４１にて反射された色光を透過させるための矩形状の開口部４４４３Ａが形成されている。
【００２４】
以上説明した取付部材４４４は、以下に示すように、ワイヤグリッド４４１および反射型光変調装置４４２を支持し、各部材４４１，４４２をクロスダイクロイックプリズム４４３の光束入射側端面４４３１に固定する。
すなわち、取付部材４４４には、図２に示すように、一対の板状部４４４１，４４４２における平面視略直角三角形状の斜辺に対応する端部４４４１Ｂ，４４４２Ｂ（図３）同士を跨ぎ、端部４４４１Ｂ，４４４２Ｂ間の隙間を閉塞するようにワイヤグリッド４４１が接着等により固定される。
また、取付部材４４４には、図２に示すように、一対の板状部４４４１，４４４２における端部４４４１Ａ，４４４２Ａに直交する端部４４４１Ｃ，４４４２Ｃ（図３）同士を跨ぎ、端部４４４１Ｃ，４４４２Ｃ間の隙間を閉塞するように反射型光変調装置４４２が接着等により固定される。
以上のように、取付部材４４４は、ワイヤグリッド４４１および反射型光変調装置４４２を支持する。
【００２５】
また、取付部材４４４は、図２に示すように、ワイヤグリッド４４１および反射型光変調装置４４２を支持した状態で、接続部４４４３がクロスダイクロイックプリズム４４３の光束入射側端面４４３１に接着等により固定される。
この際、取付部材４４４の開口部４４４３Ａは、光束入射側端面４４３１により閉塞される。すなわち、取付部材４４４は、ワイヤグリッド４４１、反射型光変調装置４４２、および光束入射側端面４４３１の間を略密閉空間とする密閉構造を有している。
【００２６】
上述した実施形態によれば、以下の効果がある。
本実施形態では、光学装置４４は、ワイヤグリッド４４１および反射型光変調装置４４２を支持し、ワイヤグリッド４４１および反射型光変調装置４４２をクロスダイクロイックプリズム４４３の光束入射側端面４４３１に固定する取付部材４４４を、ワイヤグリッド４４１や反射型光変調装置４４２と同様の個数分（３つ）、備えている。そして、取付部材４４４は、ワイヤグリッド４４１、反射型光変調装置４４２、および光束入射側端面４４３１の間を略密閉空間とする密閉構造を有している。このことにより、取付部材４４４、ワイヤーグリッド４４１、反射型光変調装置４４２、およびクロスダイクロイックプリズム４４３で構成される略密閉空間内に塵埃が侵入することを防止できる。このため、ワイヤグリッド４４１や反射型光変調装置４４２の熱劣化を防止するために光学装置４４に空気を送風する構成とし、送風される空気に塵埃が混入している場合であっても、ワイヤグリッド４４１や反射型光変調装置４４２への塵埃の付着量を低減させることができる。したがって、光学装置４４にて形成する画像光に塵埃が入り込むことを抑制し、画像光を良好に維持でき、スクリーン等に劣化のない良好な投影画像を形成できる。
【００２７】
また、取付部材４４４は、比較的に高い熱伝導率（１５〜４０Ｗ／ｍ・Ｋ）で熱放射性も比較的に高いアルミナ系セラミックで構成されている。このことにより、ワイヤグリッド４４１や反射型光変調装置４４２にて生じた熱を取付部材４４４に放熱できる。また、取付部材４４４と空気との熱交換効率を向上させることができる。したがって、ワイヤグリッド４４１や反射型光変調装置４４２の冷却効率を向上させることができる。そして、ワイヤグリッド４４１や反射型光変調装置４４２の冷却効率を向上させることができるため、光学装置４４を冷却する冷却ファンの数量を低減させたり、冷却ファンの回転数を低減させたりすることができ、プロジェクタ１のコスト低減が図れるとともに、静粛性を確保できる。また、冷却ファンの数量を低減させたり、冷却ファンの回転数を低減させたりすることで、光学装置４４に送風される空気の風量も低減し、すなわち、送風される空気に混入した塵埃の量も低減するので、ワイヤグリッド４４１や反射型光変調装置４４２への塵埃の付着量をさらに低減させることができる。
【００２８】
さらに、取付部材４４４は、クロスダイクロイックプリズム４４３の線膨張係数（約７×１０−６／℃）に近い線膨張係数（約７×１０−６／℃）を有している。このことにより、クロスダイクロイックプリズム４４３と、該クロスダイクロイックプリズム４４３に固定される取付部材４４４との線膨張係数を近付けることで、クロスダイクロイックプリズム４４３および取付部材４４４の熱膨張変形を略同程度に収めることができる。したがって、線膨張係数の違いにより発生する熱応力を緩和し、各反射型光変調装置４４２の相互位置のずれを防止することができ、画素ずれを回避することができる。
【００２９】
また、取付部材４４４が一対の板状部４４４１，４４４２と接続部４４４３とが一体的に形成されたものであるため、例えば、複数の部材を組み合わせることで取付部材を形成する構成と比較して、組み立て作業を不要とし、取付部材４４４の製造効率を向上できる。また、取付部材４４４が断面略Ｕ字形状を有していることにより、例えば、取付部材を内部が中空状の筐体とする構成と比較して、取付部材４４４を容易に製造できる。
【００３０】
なお、本発明は前述の実施形態に限定されるものではなく、本発明の目的を達成できる範囲での変形、改良等は本発明に含まれるものである。
前記実施形態において、取付部材４４４の構造は、前記実施形態で説明した構成に限らない。取付部材の構成としては、反射型光変調装置４４２、ワイヤグリッド４４１、および光束入射側端面４４３１の間を略密閉空間とする密閉構造を有していれば、例えば、内部が中空状の筐体で構成しても構わない。
【００３１】
前記実施形態において、プロジェクタ１の構成は、前記実施形態で説明した構成に限らない。
例えば、光源装置４１は、放電発光型の光源装置で構成していたが、これに限らず、レーザダイオード、ＬＥＤ(Light Emitting Diode)、有機ＥＬ(Electro Luminescence)素子、シリコン発光素子等の各種固体発光素子を採用してもよい。
また、光源装置４１を１つのみ用い色分離光学装置４３にて３つの色光に分離していたが、色分離光学装置４３を省略し、３つの色光をそれぞれ射出する３つの前記固体発光素子を光源装置として構成してもよい。
さらに、プロジェクタ１は、反射型光変調装置４４２を３つ備える三板式のプロジェクタで構成していたが、これに限らず、反射型光変調装置４４２を２つ備えるプロジェクタや、反射型光変調装置４４２を４つ以上備えるプロジェクタとして構成しても構わない。この際、プロジェクタは、ワイヤグリッド４４１および取付部材４４４も反射型光変調装置４４２と同様の個数分、備えることとなる。
前記実施形態では、スクリーンを観察する方向から投射を行うフロントタイプのプロジェクタの例のみを挙げたが、本発明は、スクリーンを観察する方向とは反対側から投射を行うリアタイプのプロジェクタにも適用可能である。
【産業上の利用可能性】
【００３２】
本発明の光学装置は、画像光を良好に維持できるため、プレゼンテーションやホームシアタ等に用いられるプロジェクタの光学装置に利用できる。
【図面の簡単な説明】
【００３３】
【図１】本実施形態におけるプロジェクタの概略構成を模式的に示す図。
【図２】前記実施形態における光学装置の構造を示す斜視図。
【図３】前記実施形態における取付部材の構造を示す図。
【符号の説明】
【００３４】
１・・・プロジェクタ、３・・・投射レンズ（投射光学装置）、４１・・・光源装置、４４１・・・ワイヤグリッド、４４２・・・反射型光変調装置、４４３・・・クロスダイクロイックプリズム（色合成光学装置）、４４４・・・取付部材、４４３１・・・光束入射側端面、４４４１，４４４２・・・板状部、４４４３・・・接続部。
【図１】
2009036819.tif 000003
【図２】
2009036819.tif 000004
【図３】
2009036819.tif 000005